(57)【要約】      （修正有）【課題】  フラット発光可能なフラッシュ調光装置とそのフラッシュ調光装置による閃光撮影に対応可能カメラに対して安定した露出を得るフラッシュシステムを提供する。【解決手段】  カメラ外部に装着可能であって、放電管２０８とこれを駆動させる回路と、発光量を計測する光度測光センサー２０５及び２０６とＣＰＵ制御部２０を含む発光制御を行わせる回路２１６で構成されるフラッシュ調光装置において、前記放電管２０８の発光光度を前記光度測光センサー２０５及び２０６で測定し、事前に設定する光度以上になると発光を停止させ、当該光度以下になると発光させることを繰り返す交番発光で発光量を制御させ、近接撮影における発光制御を可能にさせた。【選択図】図２
2006308817.tif 000002
【特許請求の範囲】
【請求項１】
カメラ外部に装着可能であって、発光放電管とこれを駆動させる回路と、発光量を計測する光度センサーとＣＰＵを含む発光制御回路で構成されるフラッシュ調光装置において、前記発光放電管の発光光度を前記光度センサーで測定し、事前に設定する光度以上になると発光を停止させ、当該光度以下になると発光させることを繰り返す交番発光で発光量を制御させ、近接撮影における発光制御を可能にしたことを特徴とするフラッシュシステム。
【発明の詳細な説明】
【技術分野】
【０００１】
本発明はフラット発光可能なフラッシュ調光装置に関し、特に閃光撮影に対応可能なカメラに装着されるフラッシュ調光装置に関する。
【背景技術】
【０００２】
従来の方法では、小光量を得るには発光時間を短くさせて発光させる閃光発光での手段をとっている。しかし、小光量になるにつれ放電管の励起の遅れ時間が影響してくる。放電管の励起の遅れ時間が長くなるとスイッチング素子（ＩＧＢＴ）が導通している時間内には発光しなくなるなど不安定な光量の発光になる。図４は従来の発光制御による発光量カーブの様子を示した図である。
【０００３】
例えば、近接撮影でカメラと被写体との距離が１０ｃｍ、Ｆ値２．８の場合、フラッシュ調光装置（マニュアルモードの時）の発光量はＧＮ＝０．２８である。
【０００４】
従来の方法によると、図４からＧＮ＝０．２８を作るには発光時間を短くしなくてはならないが発光当初から光度が高いため、図４で発光してからカーブのピークまでの時間の約１／１０の発光時間で制御する必要となり、また、次のステップの発光時間との差が殆どなく、微少な発光時間で発光量を規定するのは難しかった。このため通常の技術で求められる最小発光量値は約ＧＮ＝２ぐらいで放電管の遅れ時間を考慮した最小光量値と言われている。
【０００５】
上記問題を解決するために、特開２００４−１６５１６４号公報に開示の方法においては、フラッシュ制御回路は、フラッシュコンデンサ（２９）とフラッシュ照明装置（２４）とを備えるフラッシュ回路（１２）のために備えられる。フラッシュ制御回路は、フラッシュ照明装置（２４）と直列の電流制限装置（６２）と、電流制限回路（６２）に並列のバイパス回路（６１）を備える。バイパス回路（６１）は、電流制限装置（６２）をバイパスする第１設定と、電流制限装置（６２）をバイパスしない第２設定とを有し、カメラからシーンの対象物までの距離を反映してフラッシュの光出力を適合させる方法を提案している。
【特許文献１】特開２００４−１６５１６４号公報
【発明の開示】
【発明が解決しようとする課題】
【０００６】
従来の方法においては近接撮影の場合小発光量を求められたＧＮ＝０．２８に対し、ＧＮ＝２の発光量で調光発光するので２ＥＶ以上露出オーバーになることからカメラの絞り設定を絞り込ませなければならず、撮影条件が制限されることになる。
【０００７】
また、被写体輝度の明るい場合、小発光量を求めるには閃光時間を短くしていくことになるが、放電管の遅れ時間があるので発光時間が短くなると発光しない時が発生する。発光時間を短くする方法では安定した発光は維持できないので小発光量は作れない。よって、近接撮影の場合は小発光量を求めることができないのでは露出オーバーになる不都合があった。
【０００８】
また、解決方法として開示されている特開２００４−１６５１６４号公報ではバイパス回路６１においてレンズの距離調整機構と連動して電流制限装置６２を作動させ、被写体の焦点距離に応じた電流制限によって発光量を調節するものであり、電流制限には抵抗体を用い、調整も段階的な調整で、連続的な調整ができない欠点を有しているし、抵抗体による電流制限だけでは、近距離における微少発光時では不安定な動作は避けられない。
【０００９】
本発明は上記事情に鑑みてなされたもので、フラット発光可能なフラッシュ調光装置とそのフラッシュ調光装置によるフラッシュ撮影に対応可能カメラに対して安定した露出を得るフラッシュシステムを提供することを目的とするものである。
【課題を解決するための手段】
【００１０】
本発明のフラッシュシステムは、カメラ外部に装着可能であって、発光放電管とこれを駆動させる回路と、発光量を計測する光度センサーとＣＰＵを含む発光制御回路で構成されるフラッシュ調光装置において、前記発光放電管の発光光度を前記光度センサーで測定し、事前に設定する光度以上になると発光を停止させ、当該光度以下になると発光させることを繰り返す交番発光で発光量を制御させ、近接撮影における発光制御を可能にした。
【発明の効果】
【００１１】
本発明においてはカメラ外部に装着可能であって、発光放電管とこれを駆動させる回路と、発光量を計測する光度センサーとＣＰＵを含む発光制御回路で構成されるフラッシュ調光装置において、前記発光放電管の発光光度を前記光度センサーで測定し、事前に設定する光度以上になると発光を停止させ、当該光度以下になると発光させることを繰り返す交番発光で発光量を制御させ、近接撮影における発光制御を可能にしたので、小発光量を得る方法として発光光度を低下させ、放電管の遅れ時間による影響がない発光時間で制御した安定した発光量が得られる。
【発明を実施するための最良の形態】
【００１２】
以下、図面等を参照して本発明の最も良好な実施形態を説明する。
【００１３】
まず初めに、本発明の接続構造を説明する。図１は本発明に係るカメラとフラッシュ調光装置の信号接続関係を示す概略ブロック図であって、カメラ１にフラッシュ調光装置２を装着すると図１に示すようにカメラ１とフラッシュ調光装置２とはそれぞれのＣＰＵ制御部１０、２０が複数の信号ラインからなるカメラ側信号ＣＭ１〜ＣＭ５とフラッシュ調光装置側信号ＳＴ１〜ＳＴ５とで接続されて制御可能になっている。
【００１４】
カメラ１のレリーズが押されるとカメラ１からフラッシュ調光装置２へ予備発光指示があり、フラッシュ調光装置２が予備発光する。被写体輝度をカメラ１のＡＥセンサーで測光し、それに応じた発光量をフラッシュ調光装置２のフラッシュ調光装置側信号ＳＴ１〜ＳＴ５にカメラ１のカメラ側信号ＣＭ１〜ＣＭ５から信号ラインを通じて伝達される。フラッシュ調光装置２は信号ラインの発光同期信号でカメラ１から求められた発光量を発光する。
【００１５】
図２の回路で示すように、フラッシュ調光装置２のＣＰＵ制御部２０に発光量を光度可変制御可能なフラット発光を行う放電管２０８と発光制御を行わせる回路２１６と発光駆動させる回路を備え、カメラから指示による予備発光を行い、その測光結果から小光量の要求の時、前記放電管２０８の光度を測定しある光度以上になると発光を停止させ、ある光度以下になると再度発光させる交番発光を光度測光センサー２０５及び２０６により、光度可変制御された一定の光度で発光制御が行われる。
【００１６】
また、フラッシュ調光装置２をマニュアルモードのパワーレシオで使用する場合はフラッシュ調光装置２のフラッシュ調光装置側信号ＳＴ１〜ＳＴ５が求める発光量をカメラ１のカメラ側信号ＣＭ１〜ＣＭ５からの信号ラインを通じて伝達された発光信号で発光する。また、その発光量が小光量の場合は図２に示すフラット発光の発光制御回路システムで発光させる。
【００１７】
図３はフラッシュ調光装置の発光駆動の様子を示した回路図である。発光駆動回路で図２に図示されている発光制御回路のＦＥＴ２０１がＯＮになるとＦ＿ＧＡＴＥ信号がＬｏｗになり、発光制御素子ＩＧＢＴ２１１がＯＮする。そして、コンデンサＣの電荷がトリガコイル２１２を流れることでトリガコイル２１２に高電圧が発生し、放電管２０８を発光させ発光光度が上昇し、測光回路の出力が所定のレベルに達すると図２に図示されているコンパレータ２０４が反転し、発光制御素子ＩＧＢＴ２１１が反転しＯＦＦになる。
【００１８】
発光が停止すると今度はコンパレータ２０４が再び反転し、Ｆ＿ＧＡＴＥ信号がＬｏｗとなり、発光駆動回路の発光制御素子ＩＧＢＴ２１１が再びＯＮし、また、放電管２０８は発光され所定レベルに光度が達すると、コンパレータ２０４が反転し発光停止する。これを発光時間中繰り返すことにより放電管２０８を発光させる。これが交番発光である。
【００１９】
光度を可変させるとコンパレータ２０４の入力に接続されている、ＤＡコンバータ２０７の値で電圧を高くすると光度は大きくなり、電圧を低くすると光度は小さくなる。このようにして発光量を可変する。これは事前にフラッシュ調光装置の予備発光で得られた光量関数をＣＰＵ制御部２０で演算した結果で制御される。
【００２０】
図５は光度可変制御による光度と発光時間の関係を示したもので左側が発光量が大きい場合、右側が発光量が小さい場合の交番発光形態を示した図で、小発光量のステップは発光時間と光度の組み合わせで決定される。
【００２１】
下記に示す表は所定の発光時間ではＤＡ電圧を下げることによってＧＮが小さくなり、さらに発光時間を下げることにより小さな発光量が得られることを示している。
ＧＮ              ＝    ２        １．４        １        ０．５
ＤＡ電圧値（ｍＶ）＝  １０００    ２００      ２０００    １００
発光時間          ＝  ３００ｕｓ  ３００ｕｓ  １００ｕｓ  １００ｕｓ
【００２２】
以上説明したように、本発明によれば、フラッシュ調光装置２内に発光の光度を制御できる回路を有し発光光度制御手段を備え、特に小発光量を求められる近接撮影時の場合は、撮影された写真に光量ムラも露出オーバーもなく、これにより被写体光量に対して適正な露光が得られ、かつ見栄えの良好な写真を得ることができる。
【図面の簡単な説明】
【００２３】
【図１】本発明に係るカメラとフラッシュ調光装置システムにおけるカメラとフラッシュ調光装置との接続関係を示す概略ブロック図である。
【図２】フラッシュ調光装置のフラット発光が可能な発光制御の様子を示した回路図である。
【図３】フラッシュ調光装置の発光駆動の様子を示した回路図である。
【図４】従来の発光制御による発光量カーブの様子を示した図である。
【図５】光度可変制御による光度と発光時間の関係を示したもので左側が発光量が大きい場合、右側が発光量が小さい場合の交番発光形態を示した図である。
【符号の説明】
【００２４】
２０  ＣＰＵ制御部
２０５  光度測光センサー
２０６  光度測光センサー
２０８  放電管
２１６  発光制御を行わせる回路
【図１】
2006308817.tif 000003
【図２】
2006308817.tif 000004
【図３】
2006308817.tif 000005
【図４】
2006308817.tif 000006
【図５】
2006308817.tif 000007